(57)【特許請求の範囲】
【請求項１】
映像表示装置であって、
前記映像表示装置とは異なる他の装置から映像信号の入力を受付けるための、複数の入力ポートと、
前記複数の入力ポートのうちから、前記他の装置として映像再生装置に接続される入力ポートを検出するための検出手段と、
ディスプレイと、
前記映像信号に対して表示処理を実行し、前記ディスプレイに映像を表示するための処理手段と、
前記映像再生装置に対して制御信号を送信するための送信手段と、
前記送信手段に、前記検出手段で検出された入力ポートに関する情報を、前記制御信号として、前記映像再生装置に対して送信させるための制御手段とを備える、映像表示装置。
【請求項２】
前記複数の入力ポートのそれぞれに関する情報は、当該入力ポートの当該映像表示装置における位置を表わした画像データを含む、請求項１に記載の映像表示装置。
【請求項３】
前記複数の入力ポートのそれぞれに関する情報は、当該入力ポートの対応している映像を表示するための規格に関する情報を含み、
前記制御手段は、
前記入力された映像信号に基づいて映像を表示するための規格を特定するための特定手段と、
前記特定された規格と前記検出手段で検出された前記入力ポートの対応している規格とが一致しているか否かを判断するための判断手段とを含み、
前記制御手段は、前記特定された規格と前記検出手段で検出された前記入力ポートの対応している規格とが一致していない場合に、前記送信手段に、前記制御信号として一致していない旨を示す信号を前記映像再生装置に対して送信させる、請求項１または２に記載の映像表示装置。
【請求項４】
映像表示装置に対して映像信号を、再生を指示する制御信号と共に出力するための出力手段と、
前記映像表示装置から制御信号を受信するための受信手段と、
ディスプレイと、
前記映像表示装置からの制御信号に基づいて前記ディスプレイに情報を表示する処理を実行するための表示処理手段とを備え、
前記映像表示装置からの制御信号は、前記映像表示装置の備える複数の入力ポートのうちの当該映像再生装置からの前記映像信号が入力された入力ポートに関する情報を含み、
前記表示処理手段は、前記映像表示装置からの制御信号に基づき、前記映像表示装置の前記映像信号が入力された入力ポートに関する情報を前記ディスプレイに表示させる、映像再生装置。
【請求項５】
前記映像表示装置からの制御信号に含まれる前記映像信号が入力された入力ポートに関する情報は、前記映像信号が入力された入力ポートの前記映像表示装置における位置を表わした画像データを含み、
前記表示処理手段は、前記映像表示装置からの制御信号に基づき、前記映像信号が入力された入力ポートの前記映像表示装置における位置を表わした画像を前記ディスプレイに表示させる、請求項４に記載の映像再生装置。
【請求項６】
前記映像表示装置からの制御信号は、前記映像表示装置を特定する情報を含み、
前記映像表示装置を特定する情報と前記映像信号が入力された入力ポートに関する情報とを、当該映像再生装置に接続された他の装置に送信して、当該他の装置から前記映像信号が入力された入力ポートの前記映像表示装置における位置を表わした画像データを取得するための取得手段をさらに備え、
前記表示処理手段は、前記他の装置から取得した前記画像データに基づき、前記映像信号が入力された入力ポートの前記映像表示装置における位置を表わした画像を前記ディスプレイに表示させる、請求項４に記載の映像再生装置。
【請求項７】
前記映像表示装置からの制御信号は、当該映像表示装置に入力された映像信号に基づいて映像を表示するための規格と前記映像信号が入力された入力ポートの対応している規格とが一致していないことを示す信号を含み、
前記表示処理手段は、前記映像表示装置からの制御信号に基づき、前記映像表示装置の前記映像信号が入力された入力ポートを特定する情報と共に、前記映像表示装置に対して出力した映像信号に基づいて映像を表示するための規格と前記映像表示装置の前記映像信号が入力された入力ポートの対応している規格とが一致していないことを示す情報を前記ディスプレイに表示させる、請求項４〜６のいずれかに記載の映像再生装置。
【請求項８】
映像表示装置に対して映像信号を再生を指示する制御信号と共に出力するための出力手段と、
前記映像表示装置から制御信号を受信するための受信手段と、
ディスプレイと、
前記映像表示装置からの制御信号に基づいて前記ディスプレイに情報を表示する処理を実行するための表示処理手段とを備え、
前記映像表示装置からの制御信号は、前記映像表示装置の備える複数の入力ポートのうちの当該映像再生装置からの前記映像信号が入力された入力ポートに関する情報を含み、
前記表示処理手段は、前記映像表示装置からの制御信号に基づき、前記映像表示装置の前記映像信号が入力された入力ポートに関する情報を前記ディスプレイに表示させる、携帯端末。
【発明の詳細な説明】
【技術分野】
【０００１】
この発明は映像表示装置、映像再生装置、および携帯端末に関し、特に、外部機器を接続するための複数のポートを有する映像表示装置、該映像表示装置に接続可能な映像再生装置および携帯端末に関する。
【背景技術】
【０００２】
通常、テレビジョン受像機（以下、ＴＶとも称する）等の映像表示装置は、外部機器を接続するためのポートを複数有する。そのため、外部機器を映像表示装置にケーブル接続するために、ケーブルがどのポートに接続されているかを確認する必要がある。具体的には、映像表示装置としてのＴＶには通常、複数のＨＤＭＩ（High-Definition Multimedia Interface）ポートが背面に設けられているが、ユーザは、ケーブルをどのポートに接続したかがわかりにくいため、ＴＶの背面を見て確認する必要がある。
【０００３】
ケーブルの物理的な接続先を視認することなく、接続先のポートを確認するための技術として、特開２００１−２３８１４０号公報（特許文献１）は、入力端子にケーブルが接続されているか否かを検出する検出装置を開示している。また、特開２００８−６７２８４号公報（特許文献２）は、さらに、その検出結果を表示する映像表示装置を開示している。
【先行技術文献】
【特許文献】
【０００４】
【特許文献１】特開２００１−２３８１４０号公報
【特許文献２】特開２００８−６７２８４号公報
【発明の概要】
【発明が解決しようとする課題】
【０００５】
映像表示装置に映像再生装置をケーブル接続して、再生装置で再生された映像を映像表示装置で表示させる場合、特許文献１、２の技術を用いることによって、映像表示装置の表示で映像再生装置がどのポートに接続されたかを知ることができる。しかしながら、映像再生装置側ではその接続を確認することができない、という問題がある。たとえば、携帯電話機などである映像再生装置を映像表示装置にケーブル接続して、映像再生装置を操作している場合には、その手元でどのポートに接続されたか、などの接続ポート関する情報を確認することができない、という問題がある。
【０００６】
本発明はこのような問題に鑑みてなされたものであって、映像表示装置と映像再生装置または映像再生装置としての携帯端末とをケーブル接続する場合に、映像表示装置のどのポートに接続されているかを映像再生装置または映像再生装置としての携帯端末で確認することが可能な映像表示装置、映像再生装置、および携帯端末を提供することを目的の一つとしている。
【課題を解決するための手段】
【０００７】
上記目的を達成するために、本発明のある局面に従うと、映像表示装置は、当該映像表示装置とは異なる他の装置から映像信号の入力を受付けるための、複数の入力ポートと、複数の入力ポートのそれぞれに関する情報を記憶するための記憶手段と、複数の入力ポートのうちから、他の装置として映像再生装置に接続される入力ポートを検出するための検出手段と、ディスプレイと、映像信号に対して表示処理を実行し、ディスプレイに映像を表示するための処理手段と、映像再生装置に対して制御信号を送信するための送信手段と、送信手段に、検出手段で検出された入力ポートに関する情報を、制御信号として、映像再生装置に対して送信させるための制御手段とを備える。
【０００８】
好ましくは、複数の入力ポートのそれぞれに関する情報は、当該入力ポートの当該映像表示装置における位置を表わした画像データを含む。
【０００９】
好ましくは、複数の入力ポートのそれぞれに関する情報は、当該入力ポートの対応している映像を表示するための規格に関する情報を含み、制御手段は、入力された映像信号に基づいて映像を表示するための規格を特定するための特定手段と、特定された規格と検出手段で検出された入力ポートの対応している規格とが一致しているか否かを判断するための判断手段とを含み、制御手段は、特定された規格と検出手段で検出された入力ポートの対応している規格とが一致していない場合に、送信手段に、制御信号として一致していない旨を示す信号を映像再生装置に対して送信させる。
【００１０】
本発明の他の局面に従うと、映像再生装置は、映像表示装置に対して映像信号を、再生を指示する制御信号と共に出力するための出力手段と、映像表示装置から制御信号を受信するための受信手段と、ディスプレイと、映像表示装置からの制御信号に基づいてディスプレイに情報を表示する処理を実行するための表示処理手段とを備える。映像表示装置からの制御信号は、映像表示装置の備える複数の入力ポートのうちの当該映像再生装置からの映像信号が入力された入力ポートに関する情報を含み、表示処理手段は、映像表示装置からの制御信号に基づき、映像表示装置の映像信号が入力された入力ポートを特定する情報をディスプレイに表示させる。
【００１１】
好ましくは、映像表示装置からの制御信号は、映像信号が入力された入力ポートの映像表示装置における位置を表わした画像データを含み、表示処理手段は、映像表示装置からの制御信号に基づき、映像信号が入力された入力ポートの映像表示装置における位置を表わした画像をディスプレイに表示させる。
【００１２】
好ましくは、映像表示装置からの制御信号は、映像表示装置を特定する情報を含む。映像再生装置は、映像表示装置を特定する情報と映像信号が入力された入力ポートに関する情報とを、当該映像再生装置に接続された他の装置に送信して、当該他の装置から映像信号が入力された入力ポートの映像表示装置における位置を表わした画像データを取得するための取得手段をさらに備え、表示処理手段は、他の装置から取得した画像データに基づき、映像信号が入力された入力ポートの映像表示装置における位置を表わした画像をディスプレイに表示させる。
【００１３】
好ましくは、映像表示装置からの制御信号は、当該映像表示装置に入力された映像信号に基づいて映像を表示するための規格と映像信号が入力された入力ポートの対応している規格とが一致していないことを示す信号を含み、表示処理手段は、映像表示装置からの制御信号に基づき、映像表示装置の映像信号が入力された入力ポートを特定する情報と共に、映像表示装置に対して出力した映像信号に基づいて映像を表示するための規格と映像表示装置の映像信号が入力された入力ポートの対応している規格とが一致していないことを示す情報をディスプレイに表示させる。
【００１４】
本発明のさらに他の局面に従うと、携帯端末は、映像表示装置に対して映像信号を再生を指示する制御信号と共に出力するための出力手段と、映像表示装置から制御信号を受信するための受信手段と、ディスプレイと、映像表示装置からの制御信号に基づいてディスプレイに情報を表示する処理を実行するための表示処理手段とを備える。映像表示装置からの制御信号は、映像表示装置の備える複数の入力ポートのうちの当該映像再生装置からの映像信号が入力された入力ポートに関する情報を含み、表示処理手段は、映像表示装置からの制御信号に基づき、映像表示装置の映像信号が入力された入力ポートを特定する情報をディスプレイに表示させる。
【発明の効果】
【００１５】
この発明によると、映像表示装置と映像再生装置または映像再生装置としての携帯端末とをケーブル接続する場合に、映像表示装置のどのポートに接続されているかを映像再生装置または映像再生装置としての携帯端末で確認することができる。
【図面の簡単な説明】
【００１６】
【図１】本実施の形態にかかる映像再生システムの構成の具体例を示す図である。
【図２】映像再生システムに含まれる携帯電話機の機能構成の具体例を示す図である。
【図３】映像再生システムに含まれるテレビジョン受像機（以下、ＴＶ）の機能構成の具体例を示す図である。
【図４】本実施の形態にかかる映像再生システムにおける処理を示すシーケンス図である。
【図５】本実施の形態にかかる映像再生システムにおいてケーブルの接続が行なわれたときの表示の具体例を示す図である。
【図６】第１の変形例にかかる映像再生システムにおいてケーブルの接続が行なわれたときの表示の具体例を示す図である。
【図７】第２の変形例にかかる携帯電話機の機能構成の具体例を示す図である。
【図８】第３の変形例にかかる映像再生システムの構成の具体例を示す図である。
【図９】第４の変形例にかかるＴＶの機能構成の具体例を示す図である。
【図１０】第４の変形例にかかる映像再生システムにおける処理を示すシーケンス図である。
【図１１】第４の変形例にかかる映像再生システムにおいてケーブルの接続が行なわれたときの表示の具体例を示す図である。
【発明を実施するための形態】
【００１７】
以下に、図面を参照しつつ、本発明の実施の形態について説明する。以下の説明では、同一の部品および構成要素には同一の符号を付してある。それらの名称および機能も同じである。
【００１８】
＜システム構成＞
図１は、本実施の形態にかかる映像再生システムの構成の具体例を示す図である。
【００１９】
図１を参照して、本実施の形態にかかる映像再生システムは、ケーブル３００で接続された、映像再生装置（外部機器）としての携帯電話機１００と、映像表示装置（映像出力装置）としてのテレビジョン受像機（以下、ＴＶとも称する）２００とを含む。
【００２０】
このシステムにおいて、携帯電話機１００から映像信号がＴＶ２００に対して送信され、ＴＶ２００においてその映像信号に基づいた表示が出力される。
【００２１】
携帯電話機１００とＴＶ２００との間の通信は、一例としてＨＤＭＩ（High-Definition Multimedia Interface）規格による通信が挙げられ、以下の説明では、ケーブル３００がＨＤＭＩケーブルであるものとする。ＨＤＭＩケーブルは、映像信号、音声信号、および制御信号をそれぞれ転送するためのケーブルである。携帯電話機１００からＴＶ２００に対して、映像信号と、該映像信号を表示させるための制御信号とがＨＤＭＩケーブルで送信される。コンテンツが映像のみならず音声を伴うものである場合、映像信号と共に音声信号もＨＤＭＩケーブルで送信される。
【００２２】
一方、ＴＶ２００ではケーブル接続時に後述する処理が行なわれて、必要な情報を携帯電話機１００に対して送信する。その送信は、ＨＤＭＩケーブルを用いて制御信号として送信されるものであってもよい。または、携帯電話機１００とＴＶ２００との間の通信に、ＨＤＭＩ規格による通信とは異なる他の通信が含まれ、当該他の通信によって送信されるものであってもよい。他の送信としては、たとえば無線ＬＡＮ（Local Area Network）やＢｌｕｅｔｏｏｔｈ（登録商標）や赤外線通信などが該当する。
【００２３】
図２は、本実施の形態にかかる携帯電話機１００の機能構成の具体例を示す図である。
図２を参照して、携帯電話機１００は、アンテナと、アンテナ１０１を介して図示しない無線基地局との無線信号の送受信を行なうための無線部１０２と、無線部１０２によって送受信される無線信号に含まれる音声信号に所定の信号処理を施すための音声処理部１０３と、押下されたキーを処理するためのキーデータ処理部１０４と、数字や文字等のデータ入力や機能選択等の各種指示の操作を受付けるための操作部１０５、設定された登録データを保持しておくためのデータベース１０６と、操作部１０５によって入力を受付けたデータやデータベース１０６から読み出されたデータなどを元に表示処理を実行するための表示部１０７と、プログラムに基づき、データに所定の信号処理を施すためのデータ処理部１０８と、機器全体の動作を制御するための制御部１０９と、各部に電力を供給するための２次電池や充電器等によって構成された電源１１０と、外部機器とのやりとりや記録媒体とのやりとりを行なうための外部インタフェース（Ｉ／Ｆ）１１１と、カメラ１１２とを含む。さらに、制御部１０９は、映像信号を、該映像信号を再生させるための制御信号と共に外部機器に対して送信する処理を実行するための送信処理部１１５を含む。
【００２４】
図３は、本実施の形態にかかるＴＶ２００の機能構成の具体例を示す図である。
図３を参照して、ＴＶ２００は、アンテナ２０１と、ユーザからのキー入力を受け付けるための操作部２０２と、機器全体の動作を制御するための制御部２０３と、映像を処理するための映像処理部２０４と、音声を処理するための音声処理部２０５と、各部に電力を充電するための２次電池や充電器等によって構成された電源２０６と、外部機器とのやりとりを行なうための複数の外部Ｉ／Ｆ（ポート）２０７〜２１１と、表示部２１８とを含む。
【００２５】
さらに、複数の外部Ｉ／Ｆ２０７〜２１１のそれぞれには、ケーブルの接続を検出するための機構として信号検出回路２０７Ａ〜２１１Ａが含まれる。信号検出回路２０７Ａ〜２１１Ａは、対応する外部Ｉ／Ｆにケーブル接続がされたか否かを検出する。また、入力された映像信号に含まれる同期信号またはノイズの有無を検出することによって、信号の有無を検出する。同期信号は、水平同期信号または垂直同期信号のいずれでもよい。そして、信号検出回路２０７Ａ〜２１１Ａは、対応する外部Ｉ／Ｆにケーブルが接続されたことが検出され、かつ信号が入力されたことが検出された場合に、対応する外部Ｉ／Ｆに外部機器と接続されたケーブルが接続されたことを示す検出結果を制御部２０３に入力する。
【００２６】
制御部２０３は、信号検出回路２０７Ａ〜２１１Ａからの検出結果の入力を受付けるための入力部２１２と、それぞれの外部Ｉ／Ｆ２０７〜２１１についてのポートに関する情報として少なくとも当該ポートを特定する情報（名称等）を記憶するための記憶部２１３と、検出結果に応じて対応したポートに関する情報を抽出するための抽出部２１４と、抽出されたポートに関する情報を予め記憶している外部機器である携帯電話機１００に対して送信する処理を実行するための送信部２１５とを含む。
【００２７】
＜シーケンス＞
図４は、本実施の形態にかかる映像再生システムにおける処理を示すシーケンス図である。図４に示された処理は、主に、ＴＶ２００の制御部２０３に含まれる図示しないＣＰＵ（Central Processing Unit）がプログラムを実行する図３に示された各部を制御することによって実現される。
【００２８】
図４を参照して、ステップＳ１で外部機器である携帯電話機１００と映像出力装置であるＴＶ２００とがケーブル接続されると、ステップＳ２でＴＶ２００の制御部２０３に含まれるＣＰＵは、接続されたポートを検出し、そのポートに対応した情報を抽出して予め決められたプロトコルに従って接続ポート番号等の接続ポートに関する情報データを携帯電話機１００に送信する。ここでの送信は、接続されたケーブルを用いてのものであってもよいし、当該ケーブルによる通信とは異なる、すでに確立されている携帯電話機１００とＴＶ２００との間の通信によるものであってもよい。
【００２９】
ステップＳ３で携帯電話機１００は、ＴＶ２００からの情報に基づいて接続ポート番号等の接続されたポートに関する情報を表示する。すなわち、ＨＤＭＩケーブルによって該情報が送信された場合には、制御信号に含まれる当該情報を読み出して、その制御信号に従って当該情報を表示する。または、ＨＤＭＩケーブルを用いない、たとえば無線ＬＡＮなどの他の通信によって該情報が送信された場合には、受信した情報を表示する。
【００３０】
ステップＳ４でケーブルを接続する操作が終了することで、携帯電話機１００とＴＶ２００との接続が終了する。
【００３１】
＜表示例＞
図５は、本実施の形態にかかる映像再生システムにおいてケーブルの接続が行なわれたときの表示の具体例を示す図である。
【００３２】
図５を参照して、映像表示装置であるＴＶ２００において上の処理が実行されることによって、ＴＶ２００から接続ポートに関する情報を受信した映像再生装置である携帯電話機１００では、ケーブルを接続されたポートに関する情報が表示される。
【００３３】
たとえば、ＴＶ２００のＨＤＭＩ通信のためのポートが複数備えられ、そのうちの「ＨＤＭＩ３」で特定されるポートにケーブルが接続された場合、そのポートに関する情報として、少なくとも当該ポートを識別し得る名称である「ＨＤＭＩ３」を含む情報がＴＶ２００から携帯電話機１００に対して送信される。それにより、携帯電話機１００では、「ＨＤＭＩ３」が表示される。
【００３４】
なお、ＴＶ２００がたとえば特開２００８−６７２８４号公報で本願出願人がすでに開示しているような技術を備える場合に、図５に示されるように、映像表示装置であるＴＶ２００自身においても接続されたポートを特定する情報が表示されてもよい。
【００３５】
＜実施の形態の効果＞
本実施の形態にかかる映像再生システムでは、映像再生装置である携帯電話機１００と映像表示装置であるＴＶ２００とがケーブルで接続されると、図５に示されたように、ＴＶ２００のどのポート（外部Ｉ／Ｆ）に接続されたかを示す情報が携帯電話機１００で表示される。これにより、ＴＶ２００の側面や背面などの通常の設置状態では見にくい位置にポートが配置されている場合であっても、実際にポートを確認しなくてもどのポートに接続されたかを確認することができる。
【００３６】
さらに、携帯電話機１００に表示されることで、ケーブルを接続した後に携帯電話機１００を操作している場合であっても、その手元でどのポートに接続されたかを確認することができる。
【００３７】
［変形例１］
第１の変形例として、ＴＶ２００は、接続ポートに関する情報として、ポートの名称に加えて、当該ポートがＴＶ２００において設けられる位置を示す情報としての画像を記憶する。そして、上記ステップＳ２でポートにケーブルで外部機器が接続されたことが検出されると、接続されたポートに関する情報として、そのポートの名称に加えて上記画像を携帯電話機１００に対して送信する。
【００３８】
図６は、第１の変形例にかかる映像再生システムにおいてケーブルの接続が行なわれたときの表示の具体例を示す図である。
【００３９】
図６を参照して、第１の変形例においては、ＴＶ２００から接続ポートに関する情報を受信した映像再生装置である携帯電話機１００で、ケーブルを接続されたポートに関する情報として、どのポートに接続されたかを示す情報（名称）に加えて、そのポートがＴＶ２００のどの辺りに位置するのかを表わした図が表示される。
【００４０】
これにより、ポートの名称のみならず、そのポートがＴＶ２００のどの辺りに位置するのかを、実際にＴＶの背面等を探すことなく確認することができる。
【００４１】
［変形例２］
変形例１に示された、接続されたポートがＴＶ２００のどの辺りに位置するのかを表わす図を表示する他の例として、第２の変形例を説明する。
【００４２】
図７は、第２の変形例にかかる携帯電話機１００の機能構成の具体例を示す図である。図７を参照して、第２の変形例では、データベース１０６に映像表示装置に対応付けられた画像データ１０６Ａが記憶されている。画像データは、たとえば映像表示装置の機種に対応付けられていてもよいし、映像表示装置それぞれを識別し得るＩＤに対応付けられていてもよい。
【００４３】
第２の変形例において、ＴＶ２００は、上記ステップＳ２で接続されたポートに関する情報を携帯電話機１００に送信する際に、併せて、予め記憶されている自身を特定する情報（たとえば機種名等）を送信する。
【００４４】
さらに図７を参照して、第２の変形例にかかる携帯電話機１００の制御部１０９には、ＴＶ２００から受信した自身を特定する情報に基づいて対応する画像データをデータベース１０６から抽出するための抽出部１１３がさらに含まれる。
【００４５】
ここで、データベース１０６に記憶されている画像データが、映像表示装置のポートそれぞれの当該映像表示装置における位置を表わす画像である場合、抽出部１１３は、ＴＶ２００から受信した自身を特定する情報と接続されたポートに関する情報とに基づいて、そのポートのＴＶ２００における位置を表わす画像をデータベース１０６から抽出する。
【００４６】
他の例として、データベース１０６には（当該映像表示装置におけるそれぞれのポートの位置を表わしていない）映像表示装置の画像データが記憶されていてもよい。この場合、制御部１０９には、受信した自身を特定する情報に基づいて抽出されたＴＶ２００の画像データに対して、接続されたポートに関する情報に基づいてそのポートの当該映像表示装置における位置を特定して、それを画像上で表示するための特定部１１４がさらに含まれる。
【００４７】
このような構成によって、ＴＶ２００から画像データを送信することなく、携帯電話機１００において図６に示されたような表示を行なうことができる。このため、ＴＶ２００から携帯電話機１００への通信量を抑えて図６の表示を行なうことが可能となる。
【００４８】
［変形例３］
変形例１に示された、接続されたポートがＴＶ２００のどの辺りに位置するのかを表わす図を表示するさらに他の例として、第３の変形例を説明する。
【００４９】
図８は、第３の変形例にかかる映像再生システムの構成の具体例を示す図である。図８を参照して、第３の変形例においては、映像再生装置である携帯電話機１００は、ネットワーク５００を介してサーバ４００と接続されている。ネットワーク５００は、一般的なインターネットを含むものであってもよいし、無線ＬＡＮ等によって構築されたものであってもよい。
【００５０】
第３の変形例においては、第２の変形例で携帯電話機１００のデータベース１０６に記憶されていた映像表示装置に対応付けられた画像データが、サーバ４００に記憶されている。
【００５１】
すなわち、サーバ４００は、携帯電話機１００と通信してデータのやり取りを行なうための通信部４０１と、映像表示装置に対応付けられた画像データを記憶するための記憶部４０２と、記憶部４０２から必要な画像データを抽出するための抽出部４０３とを備える。
【００５２】
第３の変形例において、携帯電話機１００は、ＴＶ２００から受信した情報をサーバ４００に転送して、必要な画像データをサーバ４００から取得する。
【００５３】
サーバ４００の記憶部４０２に記憶されている画像データが、映像表示装置のポートそれぞれの当該映像表示装置における位置を表わす画像である場合、携帯電話機１００は、ＴＶ２００から受信した自身を特定する情報と接続されたポートに関する情報とをサーバ４００に転送する。サーバ４００の抽出部４０３は、それら情報に基づいて、接続されたポートのＴＶ２００における位置を表わす画像を記憶部４０２から抽出し、携帯電話機１００に対して送信する。
【００５４】
他の例として、サーバ４００の記憶部４０２には（接続されたポートの位置を特定していない）映像表示装置の画像データが記憶されていてもよい。この場合、サーバ４００には、映像表示装置を特定する情報に基づいて抽出されたＴＶ２００の画像データに対して、接続されたポートに関する情報に基づいてそのポートの当該映像表示装置における位置を特定して、それを画像上で表わした画像とするための特定部４０４がさらに含まれる。または、第２の変形例と同様に、携帯電話機１００の制御部１０９に特定部１１４が含まれていてもよい。
【００５５】
このような構成によって、ＴＶ２００から画像データを送信することなく、また、携帯電話機１００に多くの画像データを登録しておくことなく、携帯電話機１００において図６に示されたような表示を行なうことができる。このため、携帯電話機１００のメモリを圧迫することなく図６の表示を行なうことが可能となる。
【００５６】
［変形例４］
なお、第４の変形例として、どのポートに接続されたかを示す情報に加えて、接続したポートに外部機器側にて必要とする能力がない場合にその旨を示す情報も表示するものとする。
【００５７】
図９は、第４の変形例にかかるＴＶ２００の機能構成の具体例を示す図である。図９を参照して、第４の変形例においては、ＴＶ２００の制御部２０３に含まれる記憶部２１３には、ポートに関する情報として、それぞれのポートがどの規格に対応しているかを示す規格対応情報をさらに記憶する。
【００５８】
制御部２０３には、さらに、携帯電話機１００から送信された情報に基づいて携帯電話機１００で再生された映像を表示するための規格を特定するための特定部２１６と、携帯電話機１００で再生された映像を表示するための規格が接続されたポートの規格に一致しているか否かを判断するための判断部２１７とがさらに含まれる。
【００５９】
図１０は、第４の変形例にかかる映像再生システムにおける処理を示すシーケンス図である。図１０に示された処理は、主に、ＴＶ２００の制御部２０３に含まれる図示しないＣＰＵ（Central Processing Unit）がプログラムを実行する図９に示された各部を制御することによって実現される。
【００６０】
図１０を参照して、第４の変形例においては、ＴＶ２００の制御部２０３は図４のステップＳ２の処理に替えて、ステップＳ２−１で接続されたポートを検出すると共に、ステップＳ２−２で携帯電話機１００で再生された映像を表示するための規格が接続されたポートの規格に一致しているか否かを判断する。そして、規格が一致している場合には（ステップＳ２−２でＹＥＳ）、ステップＳ２−３で、接続されたポートに関する情報を携帯電話機１００に送信する。一方、規格が一致していない場合には（ステップＳ２−２でＮＯ）、ステップＳ２−４で、接続されたポートに関する情報とともに、その旨を示す情報を携帯電話機１００に送信する。
【００６１】
第４の変形例において携帯電話機１００は、予め、携帯電話機１００で再生された映像を表示するための規格が接続された映像表示装置のポートと一致していない場合に表示させるための警告画面の画面データを記憶しておく。そして、ＴＶ２００からの送信された情報に応じて、該画面データに基づいた警告画面を表示する。
【００６２】
図１１は、第４の変形例にかかる映像再生システムにおいてケーブルの接続が行なわれ、携帯電話機１００で再生された映像を表示するための規格が接続された映像表示装置のポートと一致していない場合の表示の具体例を示す図である。ここでは、具体例として、携帯電話機１００で再生された映像を表示するための規格が３Ｄ（立体）表示であって、接続されたポート（ＨＤＭＩ３）が３Ｄ表示に対応したポートでないものとする。
【００６３】
図１１を参照して、この場合、携帯電話機１００においては、接続されたポートが「ＨＤＭＩ３」であるという情報と共に、当該ポートが３Ｄ表示に対応したポートでないことを警告する画面が表示される。
【００６４】
このような構成によって、携帯電話機１００においてどのポートに接続されたかを確認することができると共に、そのポートが携帯電話機１００で再生された映像を表示するための規格に対応していない場合に、その旨を携帯電話機１００において確認することができる。
【００６５】
さらに、ＴＶ２００で例示された映像表示装置において、上述の処理を実行させるためのプログラムを提供することもできる。このようなプログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００６６】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００６７】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００６８】
提供されるプログラム製品は、ハードディスクなどのプログラム格納部にインストールされて実行される。なお、プログラム製品は、プログラム自体と、プログラムが記録された記録媒体とを含む。
【００６９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７０】
１００  携帯電話機、１０１，２０１  アンテナ、１０２  無線部、１０３，２０５  音声処理部、１０４  キーデータ処理部、１０５，２０２  操作部、１０６  データベース、１０６Ａ  画像データ、１０７  表示部、１０８  データ処理部、１０９，２０３  制御部、１１０，２０６  電源、１１１，２０７〜２１１  外部Ｉ／Ｆ、１１２  カメラ、１１３，２１４，４０３  抽出部、１１４，２１６，４０４  特定部、１１５  送信処理部、２００  ＴＶ、２０４  映像処理部、２０７Ａ〜２１１Ａ  信号検出回路、２１２  入力部、２１３，４０２  記憶部、２１５  送信部、２１７  判断部、２１８  表示部、３００  ケーブル、４００  サーバ、４０１  通信部、５００  ネットワーク。
【図１】
0005509006.tif 000002
【図２】
0005509006.tif 000003
【図３】
0005509006.tif 000004
【図４】
0005509006.tif 000005
【図５】
0005509006.tif 000006
【図６】
0005509006.tif 000007
【図７】
0005509006.tif 000008
【図８】
0005509006.tif 000009
【図９】
0005509006.tif 000010
【図１０】
0005509006.tif 000011
【図１１】
0005509006.tif 000012